(57)【要約】
【課題】　この考案は、後続車に安全運転を求める自動車用表示板を、使用者の好みに応じて子どもの写真やペットの写真を表示できるようにし、使用者のコミュニケーションツールとして、そして後続車の運転手に親近感を与えて安全運転メッセージを強化することを課題とするものである。
【解決手段】　この考案の表示板は、自動車のリアウインドウ内側に掲示する表示板１に、適宜の図柄３と安全運転標語２を表示し、前記図柄に顔写真表示部４を設けて構成する。
【選択図】 図１
0003100100.tif 000002
【実用新案登録請求の範囲】
【請求項１】
自動車のリアウインドウ内側に掲示する表示板に、適宜の図柄と安全運転標語を表示し、前記図柄に顔写真表示部を設けた、自動車用表示板
【請求項２】
図柄は、仮装衣服又は動物の図柄とし、これら図柄の顔部分を前記顔写真表示部とした、請求項１記載の自動車用表示板
【請求項３】
請求項１又は２に記載の自動車用表示板と、この自動車用表示板の図柄又は顔写真に貼付する付属シールとを組合わせた、自動車用表示板セット
【請求項４】
付属シールは、鼻、歯、ひげ、若しくはネクタイ又はリボンとした、請求項３記載の自動車用表示板セット
【考案の詳細な説明】
【技術分野】
【０００１】
　この考案は、自動車のリアウインドウの内側に設置して、後続車に安全運転を求めるために使用する自動車用表示板に関するものである。
【背景技術】
【０００２】
　従来、この種の表示板は様々なデザインのものが製造販売されているが、使用者が加工できるようにしたものは知られていない。
【考案の開示】
【考案が解決しようとする課題】
【０００３】
　この考案は、後続車に安全運転を求める自動車用表示板を、使用者の好みに応じて子どもの写真やペットの写真を表示できるようにし、使用者のコミュニケーションツールとして、そして後続車の運転手に親近感を与えて安全運転メッセージを強化することを課題とするものである。
【課題を解決するための手段】
【０００４】
　この考案の表示板は、自動車のリアウインドウ内側に掲示する表示板に、適宜の図柄と安全運転標語を表示し、前記図柄に顔写真表示部を設けて構成する。前記表示板は、材質、形状、そして自動車に取り付けるための構造に制約はない。また、写真の表示は、写真を表示板に貼り付けて表示するほか、デジタル印刷により印刷して表示するものでもよい。
【０００５】
　前記図柄は仮装衣服又は動物の図柄とし、これら図柄の顔部分を前記顔写真表示部とすることが好ましい（請求項２）。
　また、前記表示板は、この自動車用表示板の図柄又は顔写真に貼付する付属シールとを組合わせた、自動車用表示板セットとして構成することもできる（請求項３）。前記付属シールとしては、鼻、歯、ひげなどの顔を粉飾するもの、若しくはネクタイ又はリボンなどの身飾品が考えられる（請求項４）。
　この考案において、使用者は表示板の写真表示部に好みの写真を表示することができる。一般的には、子どもの写真やペットの写真であるが、これに限定されるものではない。
【考案の効果】
【０００６】
　表示板に子どもやペットの写真が表示されることにより、後続車の運転手は単に文字のみで「子どもが乗っています」と表示されているものよりも、前の車に乗っている子どもやペットを具体的に知ることができる。その結果、前の車に親近感を感じ、安全運転要請のアピールが強化される。また、写真を見ることにより、後続車の運転手にゆとりが生まれ、安全運転に資する作用も期待できる。
【考案を実施するための最良の形態】
【０００７】
　以下に最良の形態としての実施例を示す。
【実施例】
【０００８】
　図１において、表示板１には、「ぶつけたら／ぼく　泣きます／この子が乗っています。」という安全運転標語２と、ねずみをモチーフとした図柄３が表示されており、図柄３の顔部分が写真表示部４としてある。この写真表示部に子どもの顔の写真５が貼付してある。
　図中符号６は車内への吊り下げ具を取り付けるための透孔である。
【０００９】
　図３は、上記表示板１と組み合わされる付属シールであって、鼻シール７，歯シール８，リボンシール９で構成してある。これらの付属シールは、裏面が粘着面としてあり、使用者が好みに応じて適宜写真５や図柄３に貼付するものである。
【００１０】
　図４は、図柄３を仮装衣服としたもの、図６は図柄３を２匹の動物として、二匹の動物の顔の間に写真表示部３を設けたものである。
　図８は図柄３を環状の葉とし、その内側を写真表示部４としたものであり、ペット（犬）の写真５が表示してある。
【産業上の利用可能性】
【００１１】
　この考案によれば以下の効果が得られ、産業上利用可能性を有するものであるる。
１）表示板に子どもやペットの写真が表示されることにより、後続車の運転手は単に文字のみで「子どもが乗っています」と表示されているものよりも、前の車に乗っている子どもやペットを具体的に知ることができる。その結果、前の車に親近感を感じ、安全運転要請のアピールが強化される。また、写真を見ることにより、後続車の運転手にゆとりが生まれ、安全運転に資する作用も期待できる。
２）この表示板は、子どもとのコミュニケーションツールとして機能する。例えば、動物の図柄や仮装衣服の図柄に子どもの顔写真を表示することにより、子どもの変身願望を満たすことができる。
　また、子どもが複数いる場合は、今日はこの子の写真がついた表示板、明日はあの子の写真がついた表示板というように日によって又は同乗する子どもに合わせて表示板を交換することにより、子どもが自動車に乗る楽しみを増加させることができる。
　更に、自動車に乗ることを嫌う子どもにとっても、自分の写真が表示された表示板が自動車に表示されることにより、自動車に乗ることに楽しさを感じることも期待できる。
【図面の簡単な説明】
【００１２】
【図１】この考案実施形態の表面図
【図２】同じく顔写真を貼付した状態の表面図
【図３】同じく付属シールの表面図
【図４】同じく図柄を仮装衣服とした実施形態の表面図
【図５】同じく顔写真を貼付した状態の表面図
【図６】同じく図柄を二匹の動物とした実施形態の表面図
【図７】同じく顔写真を貼付した状態の表面図
【図８】同じく図柄を環状の葉としてペットの写真を貼付した状態の表面図
【符号の説明】
【００１３】
１ 表示板
２ 標語
３ 図柄
４ 写真表示部
５ 写真　
６． 透孔
　　７ 鼻シール
　　８ 歯シール
　　９ リボンシール
【図１】
0003100100.tif 000003
【図２】
0003100100.tif 000004
【図３】
0003100100.tif 000005
【図４】
0003100100.tif 000006
【図５】
0003100100.tif 000007
【図６】
0003100100.tif 000008
【図７】
0003100100.tif 000009
【図８】
0003100100.tif 000010
【手続補正書】
【提出日】平成15年10月7日(2003.10.7)
【手続補正１】
【補正対象書類名】実用新案登録請求の範囲
【補正対象項目名】全文
【補正方法】変更
【補正の内容】
【実用新案登録請求の範囲】
【請求項１】
自動車のリアウインドウ内側に掲示する表示板に、顔写真表示部を設けると共に適宜の図柄と安全運転標語を表示し、前記顔写真表示部は前記図柄中に設けた、自動車用表示板
【請求項２】
図柄は、仮装衣服又は動物の図柄とし、これら図柄の顔部分を前記顔写真表示部とした、請求項１記載の自動車用表示板
【請求項３】
請求項１又は２に記載の自動車用表示板と、この自動車用表示板の図柄又は顔写真に貼付する付属シールとを組合わせた、自動車用表示板セット
【請求項４】
付属シールは、鼻、歯、ひげ、若しくはネクタイ又はリボンとした、請求項３記載の自動車用表示板セット
【手続補正２】
【補正対象書類名】明細書
【補正対象項目名】０００４
【補正方法】変更
【補正の内容】
【０００４】
　この考案の表示板は、自動車のリアウインドウ内側に掲示する表示板に、顔写真表示部を設けると共に適宜の図柄と安全運転標語を表示し、前記顔写真表示部は前記図柄中に設けて構成する。前記表示板は、材質、形状、そして自動車に取り付けるための構造に制約はない。また、写真の表示は、写真を表示板に貼り付けて表示するほか、デジタル印刷により印刷して表示するものでもよい。
【手続補正書】
【提出日】平成15年11月5日(2003.11.5)
【手続補正１】
【補正対象書類名】実用新案登録請求の範囲
【補正対象項目名】全文
【補正方法】変更
【補正の内容】
【実用新案登録請求の範囲】
【請求項１】
自動車のリアウインドウ内側に掲示する表示板に、顔写真を貼付又はデジタル印刷するための顔写真表示部を設けると共に適宜の図柄と安全運転標語を表示し、前記顔写真表示部は前記図柄中に設けた、自動車用表示板
【請求項２】
図柄は、仮装衣服又は動物の図柄とし、これら図柄の顔部分を前記顔写真表示部とした、請求項１記載の自動車用表示板
【請求項３】
請求項１又は２に記載の自動車用表示板と、この自動車用表示板の図柄又は顔写真に貼付する付属シールとを組合わせた、自動車用表示板セット
【請求項４】
付属シールは、鼻、歯、ひげ、若しくはネクタイ又はリボンとした、請求項３記載の自動車用表示板セット
【手続補正２】
【補正対象書類名】明細書
【補正対象項目名】０００４
【補正方法】変更
【補正の内容】
【０００４】
　この考案の表示板は、自動車のリアウインドウ内側に掲示する表示板に、顔写真を貼付又はデジタル印刷するための顔写真表示部を設けると共に適宜の図柄と安全運転標語を表示し、前記顔写真表示部は前記図柄中に設けて構成する。前記表示板は、材質、形状、そして自動車に取り付けるための構造に制約はない。また、写真の表示は、写真を表示板に貼り付けて表示するほか、デジタル印刷により印刷して表示するものでもよい。